(57)【要約】【課題】  生体から得られる検体液を迅速に採取できるようにする。【解決手段】  その長さ方向に１以上の空隙部１をおいて並べられている２以上の支持部材２，３と、該空隙部１を覆うように該支持部材２，３と重なる少なくとも２枚の透明フィルム６，９とにより形成されている、検体液を取り込むための毛細管と、毛細管の一方の末端にあって、塞ぐことができる空気穴１０を有する空気溜部５とを含んでなる検体液採取器具。【選択図】  図１
2006234446.tif 000002
【特許請求の範囲】
【請求項１】
検体液を取り込むための毛細管と、
該毛細管の一方の末端にあって、塞ぐことができる空気穴を有する空気溜部と
を含んでなる涙液検体液採取器具。
【請求項２】
前記毛細管が、その長さ方向に１以上の空隙部をおいて並べられている２以上の支持部材と、該空隙部を覆うように該支持部材と重なる少なくとも２枚の透明フィルムとにより形成されている、請求項１に記載の検体採取器具。
【請求項３】
前記支持部材が一端においてつながっている、請求項１に記載の検体採取器具。
【請求項４】
前記空気溜部が、前記支持部材の一端において前記支持部材の厚さと前記空隙部の幅を増大させることにより、前記透明フィルムの間に形成されている、請求項２に記載の検体採取器具
【請求項５】
前記毛細管が、その長さ方向に設けられた溝を有する支持部材と、該溝を覆うように該支持部材と重なる少なくとも１枚の透明フィルムとにより形成されている、請求項１に記載の検体液採取器具。
【請求項６】
前記空気溜部が、前記支持部材の一端において前記支持部材の厚さと前記溝の深さと幅を増大させることにより、前記透明フィルムとの間に形成されている、請求項５に記載の検体採取器具。
【請求項７】
前記毛細管が、樹脂により一体の管としてブロー成形されている、請求項１に記載の検体液採取器具。
【請求項８】
前記空気溜部の形状が平面状である請求項１〜７のいずれかに記載の検体液採取器具。
【請求項９】
前記支持部材の前記空気溜部とは反対側の先端部において前記毛細管の太さは同一のまま前記支持部材の幅または厚さあるいはその両方が大きくなっている請求項１〜８のいずれかに記載の検体液採取器具。
【請求項１０】
前記支持部材または前記透明フィルムに目盛りが印刷または刻印されている、請求項１〜９のいずれかに記載の検体液採取器具。
【請求項１１】
前記支持部材と前記透明フィルムとの間に親水性の接着剤または粘着剤を含む請求項１〜６のいずれかに記載の検体液採取器具。
【請求項１２】
前記透明フィルムの内表面が磨りガラス状になっている請求項１〜６のいずれかに記載の検体液採取器具。
【請求項１３】
前記毛細管部に水性色素が置かれている請求項１〜１１のいずれかに記載の検体液採取器具。
【請求項１４】
前記毛細管部内にＩＣチップが置かれている請求項１〜１３のいずれかに記載の検体液採取器具。
【発明の詳細な説明】
【技術分野】
【０００１】
本発明は、涙や血液、唾液等の生体から得られる検体液を採取するための検体液採取器具に関する。
【背景技術】
【０００２】
被験者からの微量の涙液、唾液、血液等の検体液を採取して、その量と成分を測定することにより疾患の有無やその状態を判断することが行われてきている。特に、ドライアイの診断においては、涙液の量やその成分を知ることが重要である。
【０００３】
涙液検体の採取には毛細管を用いることが考えられる。例えば、下記の特許文献１には、歯肉溝液などを検体液として採取してその検体液中の特定成分を分析するために用いられる毛細管用具が記載されている。この毛細管用具は、検体液に対する触媒作用により呈色反応する物質を有し微量検体の分析に用いる酵素試験紙（ぶどう糖試験紙）を、採取された検体液に接触する位置に配置するよう構成されている。
【０００４】
特許文献１に記載の毛細管検体液採取基部は、その後の分析のために歯肉溝液（検体液）を酵素試験紙に浸み込ませるように用いられる。一般に試験紙の方が毛細管よりも検体液の吸引力が強く、何もしなくても試験紙に検体液が流れ込むので、採取した検体液を排出するための機構がない。したがって、試験紙を用いない測定装置のセンサ部や検査用チップに検体液を置くことがうまくできないおそれがある。通常、毛細管現象による吸い込み力は、重力よりも大きいので、そのままでは、毛細管内の検体液は出てこない。
【０００５】
また、スポイトにより、涙液やわずかに浸潤した血液などの検体液の取り込もうとしても、微量の吸い込み量の調節が難しいため、空気をも吸い込んでしまい、検体液が乾燥してしまったり、あるいはスポイトからの検体液の無駄のない排出が困難になる。さらに、スポイトでは、ドライアイの診断時に求められる、微量の涙液の容積測定もできない。
【０００６】
さらに、毛細管の一端にゴム球部材を取り付けた検体液の採取用具が知られているが、そのような用具を用いると、ゴム球部材に少し触れたり、その温度に少しでも変化があると、ゴム球部材の容積が変動して、毛細管部に入った微量の検体液が不用意に押し出されたりあるいは吸い込まれて、検体液の正確な容量測定ができない。
【特許文献１】特開２００２−１３１３１４号公報
【発明の開示】
【発明が解決しようとする課題】
【０００７】
本発明は、検体液を迅速に採取できるようにするとともに、その容量の正確な測定を可能にする検体液採取器具を提供しようとするものである。
【課題を解決するための手段】
【０００８】
本発明は、涙液、唾液、血液などの検体液を迅速に採取することができる検体液採取器具を提供する。より具体的には、本発明は、検体液を取り込むための毛細管と、該毛細管の一方の末端にあって、塞ぐことができる空気穴を有する空気溜部とを含んでなる涙液検体採取器具を提供する。この毛細管は、その長さ方向に１以上の空隙部をおいて並べられている２以上の支持部材と、空隙部を覆うように支持部材と重なる少なくとも２枚の透明フィルムとにより形成することができ、また、その長さ方向に設けられた溝を有する支持部材と、溝を覆うように支持部材と重なる少なくとも１枚の透明フィルムとにより形成することができる。
【０００９】
また、空気溜部は、支持部材の一端において支持部材の厚さと空隙部の幅を増大させることにより、透明フィルムとの間に形成することができ、または、支持部材と透明フィルムのあいだに弾性のある樹脂製枠体をおいて形成することもできる。
【００１０】
さらに、毛細管を樹脂により一体の管として成形することも可能である。なお、空気溜部の形状は、指で挟むのに適しているように、平面状であることが好ましい。支持部材の空気溜部とは反対側の先端部において毛細管の太さはほぼ同一に保ったまま支持部材の幅を広げることにより先端部の表面積を増やし、あるいは、先端部に柔らかい素材を用いたり、そのような素材で先端部を覆ったりして、眼の敏感な期間が検体液採取器具の先端に触れても、刺激が少ないようにすることが好ましい。
【００１１】
支持部材または透明フィルムには、目盛りが印刷または刻印することが好ましい。支持部材と透明フィルムとを親水性接着剤または粘着剤で接合することが好ましい。
【００１２】
ここで、上記の涙液検体採取器具は、前記毛細管の前記検体液の取り込み部に、毛細管の内部を幅方向に区切る仕切りまたはスリットが設けられている態様がある。これは、毛細管の有効径を小さくして、検体液の初期の吸い込みを改善するためである。また、前記仕切りまたは前記スリットのそれぞれの開口部の幅が互いに異なる態様や、前記通路、前記仕切り、または前記スリットが、レーザ加工技術を用いて作成された態様や、前記通路のそれぞれに異なる色の色素が置かれている態様や、前記支持部材と前記透明フィルムとの間に親水性の接着剤を含む態様であることがそれぞれ好ましい。
【００１３】
また、本発明の器具の空気溜部には、指で容易に塞ぐことができる大きさの空気穴が設けられている。この空気穴があるため、検体液の毛細管への吸い込みを迅速に行うことができ、さらに、空気溜部の容積が指による押圧や指の体温によって変化して、検体液が不用意に吸い込まれたり、押し出されることを防ぐことができる。さらに、空気溜部は、指などで簡単につまめるよう平面形状をしており、その平面の中に空気穴を設けることによって、片手で無理なく空気穴を容易に閉じるとともに、採取された検体液を容易にあるいは定量的に排出させることができる。
【００１４】
なお、毛細管部の内面は、少なくともその一部は検体液との濡れ性が良好である親水性の材料を用いる必要がある。例えば、支持部材には親水性があまり大きくない部材を用いたとしても、透明フィルムについては、親水性を付与する表面処理を行った樹脂フィルムなど、親水性がある素材を使用することが、毛細管現象を利用して検体液をうまく吸い上げるために必要である。毛細管部の内面の全面が非親水性あるいは疎水性であったのでは毛細管現象による検体液の吸い上げ効果が弱すぎるであろうが、一部が親水性であれば、一般に、毛細管現象は起こる。そして、毛細管部の内面全体が親水性であれば、毛細管現象はより強いものとなり、検体液のより迅速な採取が可能になるので好ましい。
【００１５】
また、検体液の採取のために被験者に触れる器具の先端部は、不要な刺激を与えないように丸型（半円状あるいは楕円状等の角のない形状）であることが好ましい。そのためには、支持部材の先端部における幅を大きくした上に、先端部の形状を円形にしたり、先端部に毛細管部とほぼ同じ径または幅の穴を有する球を取り付けることができる。
【００１６】
さらに、取り込まれた検体液がよく視認できるように、毛細管部の内部に色素を塗布あるいは配置しておくことができる。この色素としては、例えば、青色１号、赤色１０２号などの食用またはその他の用途の色素を用いることができる。色素を利用する代わりに、透明フィルムの内表面を磨りガラス状に荒くしておくことにより、吸い込まれた検体液により磨りガラスの曇りが取れて、検体液の先端位置を見やすくすることも可能である。このようにすると、検体液に色素が混入することがなく、比色法などのより広範な検査法を利用することができるようになる。
【００１７】
支持部材または透明フィルムには、ＰＥＴ、ＰＶＡ、ＨＥＭＡ（２−ハイドロキシエチルメタクレート）、親水性基で修飾されたポリマー、半固形状ゲル、酸化チタン混入樹脂などの材料や、親水性官能基あるいは界面活性剤で表面処理を行った樹脂材料を用いることができる。これらの材料には、必要に応じて、当業者によく知られている親水性を付与する各種の化学的あるいは物理的な処理をさらに行うことができる。
【００１８】
なお、敏感な眼のメニスカスから涙液を採取する用途を考えるときには、検体液採取器具の先端は柔軟な素材からなっていることが好ましい。しかし、柔軟性の点では適していても、必ずしもその素材樹脂が親水性ではない場合がある。また、親水性にする処理が行いにくい場合もある。そのような場合には、毛細管を構成する一部の素材が親水性でなくても、例えば、支持体が親水性でなくても、その他の部分を構成する素材、例えば、透明フィルムが親水性であれば、毛細管内部の４面のうち少なくとも向かい合う２面が親水性であるので、毛細管現象が生じて、検体液が毛細管内にうまく引き込まれることになる。柔軟性を持つ素材としては、ウレタン、シリコンゴムや、超軟質ゴム（半固形状ゲル）、ＰＥ，ＰＰ，ＰＥＴなどの樹脂の吸水性がないか少ない不連続発泡体が考えられる。
【００１９】
このような本発明の検体液採取装置は、空気穴を指で塞いで空気溜部を押圧することにより、毛細管に流入した検体液を強制的に排出するドロッパー機能を有している。したがって、例えば、ガラスやシリコン等の基板に微細加工して作られる検査用チップ上あるいは検査チップにある検体導入溝に、毛細管内にある微量の検体液を、無駄にすることなく、容易に置くことができる。
【００２０】
また、吸い上げにくい粘性のある検体液に対しては、最初から空気穴を塞いでスポイトのように用いて、採取あるいは排出することも可能である。さらに、毛細管内あるいは毛細管から空気溜部への出口に、検査用ＩＣチップを内蔵させることもできる。例えば、ＩＣチップを毛細管の先端に近い部位に置き、毛細管現象を用いたり、あるいはスポイト機能を利用して粘性のある唾液等の体液も強制的に吸い上げ、検体液をＩＣチップに接触させる。なお、ＩＣチップからの検査結果のデータは、外部装置が電波を用いて読み出して表示することができる。
【発明の効果】
【００２１】
本発明の検体液採取器具によれば、毛細管現象により迅速に検体液を採取することができ、取り込んだ検体液の容量の正確な測定とその容易な排出が可能である。また、そのドロッパー機能により、本発明の器具によれば、取り込んだ検体液を、任意の量だけ吐出または滴下することができる。
【発明を実施するための最良の形態】
【００２２】
図１に、本発明の実施に用いられる第１実施態様の検体液採取器具の分解図を示す。図１に示されるように、検体液採取器具は、その長さ方向に少なくとも１以上の空隙１がある支持部材２，３と、支持部材２，３をつなぐ支持体接続部４と、空隙１を覆うように支持部材２，３と重なり、検体液を取り込むための毛細管を形成する透明フィルム６，９とを含んでなる。例えば、支持部材が３つあり、空隙が二つある実施態様も可能である。そして、検体液採取器具の一端には、空気溜部５を形成するための不連続発泡体からなって、中に空洞がある枠体８が、上部透明フィルム９と支持体２，３，４の間に配置される。そして、この上部透明フィルム９の空気溜部５に対応する位置には、小さな空気穴１０が開けられている。この空気穴１０は指で簡単に塞ぐことができるものであり、例えば、０．２ｍｍから３ｍｍ程度、好ましくは０．５ｍｍから１．５ｍｍ程度の直径を有している。また、枠体５内の空洞の幅は、毛細管を形成する通路の幅よりも大きいものが好ましいが、特に限定されるものではない。この枠体８はある程度の弾力性があるので、図２に示すように透明フィルム９と支持体２，３，４の間にできた空気溜部５を空気穴１０を塞ぐようにして２本の指などで押すと、その中の空気により毛細管内にある検体液を押し出すことができる。また、支持部材２，３と透明フィルム６，９とは、枠体８を含めて、粘着剤または接着剤により接合することができる。この接合は気密性があることが好ましい。熱を利用した接合も可能である。ここで、接着剤としては、親水性接着剤を用いることが好ましい。親水性接着剤は、その表面エネルギーの調整が広範囲で可能であるため、検体液と親水性接着剤との間の濡れ性を調整して、毛細管現象の強さ、すなわち、検体液の取り込み速度をコントロールすることができる。なお、空浮穴１０は、透明フィルム９の接着後または接着前に形成することができる。
【００２３】
ここで、支持部材２，３の厚さは、０．１ｍｍ〜１．５ｍｍ程度、好ましくは、０．２ｍｍ〜０．５ｍｍ、空隙１の幅は０．３ｍｍ〜２ｍｍ程度、好ましくは０．５ｍｍ〜１．０ｍｍとすることができる。検体液の採取量を目盛り１ｍｍ当たり約０．１μｌに設定すると、上記の検体液採取器具１に形成された毛細管の寸法は、幅０．２ｍｍ、厚さ０．５ｍｍ程度とすることができる。しかしながら、例えば、エキシマレーザによる加工などにより、より小さい内径寸法の毛細管を形成することができ、検体液の採取量をより少量（１ｎｌ〜０．１μｌ／目盛り１ｍｍ）とすることもできる。また、採取された検体液の量が一目でわかるようにするために、長さ方向に沿って検体液採取器具の支持部材に目盛７が付されている。
【００２４】
次に、図３に、本発明の実施に用いられる第２実施態様の検体液採取器具の分解図を示す。この検体採取器具は、図１の器具における支持体２，３，４と枠体５の代わりに不連続発泡体により一体に形成された支持体１２，１３，１４が用いられる。この支持体の一端の厚さは大きくなっており、図１における枠体５に対応する形状が支持体１２，１３と一体に形成されている。透明フィルム１５，１６と空気穴２０がある点は図１の器具と同様である。支持部材１２，１３には目盛１８がある。
【００２５】
さらに、図４には、本発明の実施に用いられる第３実施態様の検体液採取器具の毛細管部の断面図を示す。この実施態様においては、支持体２２の中央に溝があり、その上に透明フィルム２３を接着剤２４により接着することにより、毛細管２５が形成される。
【００２６】
そして、図５には、ブロー射出成形技術を利用して一体に形成した本発明の第４実施態様にかかる検体液採取器具の斜視図を示す。親水性の樹脂を用いて形成することができる。毛細管部３１には目盛りが刻印または印刷されている。空気溜部３２は指で挟みやすいように平板状の形状をしており、その中の中空部と連通する空気穴３３が設けられている。
【００２７】
さらに、毛細管内あるいは毛細管から空気溜部への出口あるいはその近傍に、検査用ＩＣチップを内蔵させることもできる。例えば、図６に示すように、検査用ＩＣチップ４１を毛細管の先端に近い部位に支持体４４に切り込みを作って置き、毛細管現象を利用して涙液などを、あるいはスポイト機能を利用して粘性のある唾液等の体液を強制的に吸い上げることができる。この検査用ＩＣチップは、検体液に接触して、検査結果データを形成することができる状態になる。下部の透明フィルム４２にこのＩＣチップ４１を固定しておき、支持体４４の上に上部透明フィルム４３をかぶせることができる。ＩＣチップ４１からの検査結果のデータは、外部装置（図示せず）により電波を用いて非接触で読み出して表示することができる。
【００２８】
図７に、本発明の実施に用いられる検体採取器具を用いて採取された検体液内に含まれる各成分を光学的に分析するためのシステム５０を示す。このシステム５０は、所定位置にセットされた試験紙５８に対してビーム状のレーザ光線を４５度の入射角で照射する半導体レーザ５０と、試験紙５８から反射したレーザ光線を集光するレンズ５２と、レンズ５２で集光されたレーザ光線を受光し、その受光量に応じた電気信号を出力するフォトダイオード５４と、フォトダイオード５４から出力された電気信号に基づいて、採取された検体液中に含まれるぶどう糖などの成分濃度を測定し、その濃度を表示する濃度測定部５６とを含んでなる。
【００２９】
次に、このシステム５０を用いて、検体液中に含まれる特定成分の濃度を測定することができる。まず、試験紙５８に本発明の各実施態様の採取器具により採取された体液を滴下する。そして、試験紙５８を所定の位置にセットし、試験紙５８の体液滴下部６０に対してレーザ光線を照射することにより、検体液中に含まれるぶどう糖などの成分の濃度を光学的に測定する。なお、試験紙６に照射される光は、発光ダイオード（ＬＥＤ）の光であってもよい。
【００３０】
また、試験紙５８の発色濃度特性、すなわち、検体液中に含まれるぶどう糖の濃度に対する発色濃度は良好な線形性（リニアリティ）を有しているため、濃度測定部５６は、フォトダイオード５４から出力された電気信号とこの電気信号に対応するぶどう糖の濃度との対応関係を示す対応テーブルを、コンピュータのハードディスクやメモリなどの記憶部に記憶している。したがって、濃度測定部５６は、フォトダイオード５４から出力された電気信号を入力すると、上記対応テーブルを検索し、この電気信号に対応するぶどう糖の濃度を判断し、その値を表示する。
【００３１】
また、上記の図７に示すシステム以外の装置を用いて検体液中の特定成分を測定することもできる。例えば、アークレイ（ARKRAY）社や三和化学社から市販されている小型血糖測定機（商品名：グルコカード）を用いて、検体液中の特定成分であるグルコースの濃度を容易に測定することができる。この測定機は、その測定機に取付けられた電極（センサ）を用いて、検体液中のグルコースがグルコースオキシターゼの触媒作用により酸化されたときに発生する電子を検出することによって、検体液中のグルコース濃度を求めるものである。この測定機は、衛生面に考慮して使い捨てタイプの電極が採用されており、電極を交換すると自動的に校正が行われるようになっている。この校正は、製造された電極の個体差による影響を取り除くためのものである。また、この測定機により測定可能な検体液の量は３μｌ程度である。
【００３２】
次に、上記の小型血糖測定機を用いて、検体液中のグルコース濃度を測定する方法を簡単に説明する。まず、本発明の実施に用いられる上記の検体液採取器具を用いて、涙液検体を採取する。次に、検体採取器具１〜４により採取された涙液検体を上記の小型血糖測定機に取付けられた電極に接触させる。すると、電極間に検体液を介して電流が流れることにより、グルコース濃度の測定が自動的に開始される。測定時間は約３０秒である。測定が終了すると、小型血糖測定機の表示部にグルコース濃度が表示される。また、このデータは測定機内のメモリに記憶されているので、必要に応じてこのデータをコンピュータに転送することもできる。
【００３３】
図８は、眼の構造と、検体液の１つである涙液（涙液メニスカス）が存在する場所とを示している。ここでは、角膜と下眼瞼との間に沿って涙液メニスカス（または涙三角ともよばれる）が形成されている様子を示す。この涙液メニスカスの涙液には、毛細管現象の原理により、涙液の表面張力に比例し、その曲率半径に反比例する陰圧が生じているため、その前縁には皮膚粘膜接合部とよばれる凹面が形成されている。
【００３４】
そして、角膜の上にはムチンなどの多糖類を多く含む粘液層があり、その上に涙液水層と脂質層が形成されている。そして、涙液水層はその下で涙液メニスカスにつながっている。この涙液メニスカス中の涙液や油脂の量がドライアイの病状と大きく関係しているが、その量は極めて少ないので測定が困難である。本発明の検体液採取器具は、下眼瞼の上端であって、この涙液メニスカスに接する程度の位置にその先端を置くことにより、５秒程度の短時間で検体液である涙液を採取することができる。このような短時間で検体液を採取することができるので、特に採取器具を頬などに固定することなく手で保持するか、簡単な保持具を利用するだけで十分に採取することができる。採取された涙液の量を本発明の検体液採取器具の目盛りから読み取ることができ、涙液メニスカスにある涙液の量を測定する（メニスコメトリー）ことができる。このような、本発明の検体液採取器具を用いたメニスコメトリーをキャピラリー・メニスコメトリーと呼ぶことができる。
【００３５】
なお、上記の５秒程度という短時間に涙液メニスカス量が採取できる点は、被験者の涙液メニスカスをフルオルセン染色し、本発明の器具を涙液メニスカスへと５秒間あててから光を照射したところ、染色液であるフルオルセンからの発光がみられなくなっているという実験結果に基づくものである。
【００３６】
図７に示すシステム又は市販の小型血糖測定機と、本発明の涙液検体採取器具とを用いて、涙液のクリアランステストを行うことができる。現行のクリアランステストは、５％のフルオレセイン液を片眼約１μｌ程度結膜嚢内に点眼し、５分後にシルマー試験紙を用いて、何倍に薄まっているかを調べるものである。涙液のクリアランスが悪いと、眼に入った異物がいつまでも眼の表面に滞留するため結膜に悪影響を与えるものである。本発明によれば、フルオレセイン液の代わりに１リットルあたり１０グラム程度のグルコースなどの糖類を溶解した糖液を１μｌ程度点眼し、５分後、１０分後などの決まった時間の経過後に涙液をサンプリングして、その中の糖類の濃度を図７のシステム又は市販のグルコカードといわれる小型血糖測定機により測定する。この方法によれば、市販の装置を本発明の検体液採取器具と組み合わせて用いることにより、簡易に測定が行えるほか、染料を使用しないので、検査対象者が経験する違和感を軽減することができる。
【００３７】
以上のように、本発明の検体液採取器具およびその適用例について説明してきたが、本発明の実施は上記の態様に限定されるものではなく、涙液や唾液以外の他の検体液についても同様に適用することができる。
【図面の簡単な説明】
【００３８】
【図１】本発明の第１実施態様による検体液採取器具の分解図である。
【図２】本発明の第１実施態様による検体液採取器具の使用説明図である。
【図３】本発明の第３実施態様による検体液採取器具の断面図である。
【図４】本発明の第２実施態様による検体液採取器具の分解図である。
【図５】本発明の第４実施態様による検体液採取器具の断面図である。
【図６】本発明の検体液採取器具に検査用ＩＣチップを配置した例を示す分解図である。
【図７】本発明の実施に用いられる検体液採取器具を用いて採取された検体液内に含まれる各成分を分析するためのシステムを示す概略図である。
【図８】眼の構造と、検体液の１つである涙液が存在する場所とを示す概略図である。
【符号の説明】
【００３９】
１  空隙部
２，３，４  支持部材
５  空気溜部
６  下部透明フィルム
８  枠体
９  上部透明フィルム
１０  空気穴
【図１】
2006234446.tif 000003
【図２】
2006234446.tif 000004
【図３】
2006234446.tif 000005
【図４】
2006234446.tif 000006
【図５】
2006234446.tif 000007
【図６】
2006234446.tif 000008
【図７】
2006234446.tif 000009
【図８】
2006234446.tif 000010
【手続補正書】
【提出日】平成18年1月31日(2006.1.31)
【手続補正１】
【補正対象書類名】明細書
【補正対象項目名】００１０
【補正方法】変更
【補正の内容】
【００１０】
さらに、毛細管を樹脂により一体の管として成形することも可能である。なお、空気溜部の形状は、指で挟むのに適しているように、平面状であることが好ましい。支持部材の空気溜部とは反対側の先端部において毛細管の太さはほぼ同一に保ったまま支持部材の幅を広げることにより先端部の表面積を増やし、あるいは、先端部に柔らかい素材を用いたり、そのような素材で先端部を覆ったりして、眼の敏感な器官が検体液採取器具の先端に触れても、刺激が少ないようにすることが好ましい。
【手続補正２】
【補正対象書類名】明細書
【補正対象項目名】００２２
【補正方法】変更
【補正の内容】
【００２２】
図１に、本発明の実施に用いられる第１実施態様の検体液採取器具の分解図を示す。図１に示されるように、検体液採取器具は、その長さ方向に少なくとも１以上の空隙１がある支持部材２，３と、支持部材２，３をつなぐ支持体接続部４と、空隙１を覆うように支持部材２，３と重なり、検体液を取り込むための毛細管を形成する透明フィルム６，９とを含んでなる。例えば、支持部材が３つあり、空隙が二つある実施態様も可能である。そして、検体液採取器具の一端には、空気溜部５を形成するための不連続発泡体からなって、中に空洞がある枠体８が、上部透明フィルム９と支持体２，３，４の間に配置される。そして、この上部透明フィルム９の空気溜部５に対応する位置には、小さな空気穴１０が開けられている。この空気穴１０は指で簡単に塞ぐことができるものであり、例えば、０．２ｍｍから３ｍｍ程度、好ましくは０．５ｍｍから１．５ｍｍ程度の直径を有している。また、枠体５内の空洞の幅は、毛細管を形成する通路の幅よりも大きいものが好ましいが、特に限定されるものではない。この枠体８はある程度の弾力性があるので、図２に示すように透明フィルム９と支持体２，３，４の間にできた空気溜部５を空気穴１０を塞ぐようにして２本の指などで押すと、その中の空気により毛細管内にある検体液を押し出すことができる。また、支持部材２，３と透明フィルム６，９とは、枠体８を含めて、粘着剤または接着剤により接合することができる。この接合は気密性があることが好ましい。熱を利用した接合も可能である。ここで、接着剤としては、親水性接着剤を用いることが好ましい。親水性接着剤は、その表面エネルギーの調整が広範囲で可能であるため、検体液と親水性接着剤との間の濡れ性を調整して、毛細管現象の強さ、すなわち、検体液の取り込み速度をコントロールすることができる。なお、空気穴１０は、透明フィルム９の接着後または接着前に形成することができる。
【手続補正３】
【補正対象書類名】明細書
【補正対象項目名】００２９
【補正方法】変更
【補正の内容】
【００２９】
次に、このシステム５０を用いて、検体液中に含まれる特定成分の濃度を測定することができる。まず、試験紙５８に本発明の各実施態様の採取器具により採取された体液を滴下する。そして、試験紙５８を所定の位置にセットし、試験紙５８の体液滴下部６０に対してレーザ光線を照射することにより、検体液中に含まれるぶどう糖などの成分の濃度を光学的に測定する。なお、試験紙６０に照射される光は、発光ダイオード（ＬＥＤ）の光であってもよい。
【手続補正４】
【補正対象書類名】明細書
【補正対象項目名】００３８
【補正方法】変更
【補正の内容】
【００３８】
[図１]  本発明の第１実施態様による検体液採取器具の分解図である。
[図２]  本発明の第１実施態様による検体液採取器具の使用説明図である。
[図３]  本発明の第２実施態様による検体液採取器具の分解図である。
[図４]  本発明の第３実施態様による検体液採取器具の断面図である。
[図５]  本発明の第４実施態様による検体液採取器具の斜視図である。
[図６]  本発明の検体液採取器具に検査用ＩＣチップを配置した例を示す分
解図である。
[図７]  本発明の実施に用いられる検体液採取器具を用いて採取された検体
液内に含まれる各成分を分析するためのシステムを示す概略図である。
[図８]  眼の構造と、検体液の１つである涙液が存在する場所とを示す概略
図である。